(57)【要約】【課題】録画装置が複数の人で共用される場合に、保存しておきたい録画番組が他の人に削除されてしまうという問題があった。これを防止するために、全員に、コンテンツ削除可否を確認したいが、煩雑であるという課題があった。【解決手段】録画されたコンテンツの削除に関し、削除許可を依頼する人を指定可能な第1の入力画面を出力する第1の入力画面出力手段を備える。また、前記コンテンツの削除許可が指定された人が、削除許可を入力可能な第２の入力画面を出力する第２の入力画面出力手段を備える。また、前記第２の入力画面を介して指定された人により削除が許可されたと判断される場合は、前記コンテンツの削除処理を行うコンテンツ削除手段を備える。【選択図】  図８
2011254363.tif 000002
【特許請求の範囲】
【請求項１】
録画されたコンテンツを削除可能な録画装置において、
録画されたコンテンツの削除に関し、削除許可を依頼する人を指定可能な第1の入力画面を出力する第1の入力画面出力手段と、
前記コンテンツの削除許可が指定された人が、削除許可を入力可能な第２の入力画面を出力する第２の入力画面出力手段と、
前記第２の入力画面を介して指定された人により削除が許可されたと判断される場合は、前記コンテンツの削除処理を行うコンテンツ削除手段を備える録画装置。
【請求項２】
前記録画コンテンツのリストを含む第１のリストを出力する第１のリスト出力手段をさらに備え、
前記削除を行う録画コンテンツは前記第１のリストから選択される請求項１に記載の録画装置。
【請求項３】
前記削除許可を依頼する人が指定された録画コンテンツのリストを含む第２のリストを出力する第２のリスト出力手段をさらに備え、
前記指定された人により削除が許可されるコンテンツは前記第２のリストから選択される請求項１または２に記載の録画装置。
【請求項４】
削除を望まないコンテンツが、削除可から削除不可に変更指定可能な画面を出力する変更画面出力手段をさらに備え、
削除を望まないコンテンツは、削除可から削除不可に変更指定される請求項１乃至３に記載の録画装置。
【請求項５】
前記削除許可が指定された人は単数または複数であり、指定された人全員により削除が許可された許可されたと判断された場合に、前記コンテンツの削除処理を行う請求項１乃至４に記載の録画装置。
【請求項６】
前記コンテンツの削除許可が指定された人を、録画装置の電源ＯＮに連動して表示する請求項１乃至５に記載の録画装置。
【請求項７】
映像を表示可能な映像表示手段と、
録画されたコンテンツの削除許可を依頼する人を指定可能な第1の入力画面を、前記映像表示手段に表示する第1の入力画面表示手段と、
前記コンテンツの削除許可が指定された人が、削除許可を入力可能な第２の入力画面を、前記映像表示手段に表示する第２の入力画面出力手段と、
前記第２の入力画面を介して指定された人により削除が許可されたと判断された場合は、前記コンテンツの削除処理を行うコンテンツ削除手段を備える映像表示装置。
【請求項８】
録画されたコンテンツの削除に関し、削除許可を依頼する人を指定可能な第1の入力画面を出力するステップと、
前記コンテンツの削除許可が指定された人が、削除許可を入力可能な第２の入力画面を出力するステップと、
前記第２の入力画面を介して指定された人により削除が許可されたと判断される場合は、前記コンテンツの削除処理を行うステップを備える録画コンテンツ削除方法。
【発明の詳細な説明】
【技術分野】
【０００１】
本発明の実施形態は、放送番組（コンテンツ）等を受信し、記録媒体に録画する録画装置に関する。
【背景技術】
【０００２】
放送番組（コンテンツ）等を受信し、記録媒体に録画する録画装置が普及している。
例えば、記録媒体に大容量のＨＤＤ（ハード・ディスク・ドライブ）を用い、ＴＶ番組等が記録される。
しかし、大容量とはいえ、ＨＤＤにも限りがあり、空き容量が少なくなった場合は、録画番組を削除し、空き容量を増やす必要がある。また、ユーザによって、適宜、録画番組が削除される。
【０００３】
しかし、録画装置が家族等、複数の人で共用される場合には、共用者の意思には無関係に、保存しておきたい録画番組が削除されてしまうという問題があった。
【先行技術文献】
【特許文献】
【０００４】
【特許文献１】特開2007-12172
【特許文献２】特開2003-16762
【特許文献３】特開2005-57637
【発明の概要】
【発明が解決しようとする課題】
【０００５】
上記のように、例えば、録画装置が複数の人で共用される場合に、保存しておきたい録画番組が他の人に削除されてしまうという問題があった。
一般に、録画番組は複数録画されることが多い。このため、誰が、どの番組の保存を望んでいるかを確認することは、難しい。
また、例えば、家族の中で複数の人が保存を望んでいた番組があることも多いが、現状では、録画番組の保存を望む人の許可を得ずに、勝手に消去されてしまうことがある。
【０００６】
そこで、ある番組を消去したい人は、全員の許可を得る必要が生じるが、全員が同時刻に揃うことは期待しにくい。
このため、特定の番組コンテンツの削除において、録画装置の共用者全員に可否を確認する必要はあるが、実際に、全員の削除確認をとることは、煩雑であるという課題があった。
【課題を解決するための手段】
【０００７】
実施形態によれば、録画されたコンテンツの削除に関し、削除許可を依頼する人を指定可能な第1の入力画面を出力する第1の入力画面出力手段を備える。
また、前記コンテンツの削除許可が指定された人が、削除許可を入力可能な第２の入力画面を出力する第２の入力画面出力手段を備える。
また、前記第２の入力画面を介して指定された人により削除が許可されたと判断される場合は、前記コンテンツの削除処理を行うコンテンツ削除手段を備える。
【図面の簡単な説明】
【０００８】
【図１】実施形態に係わる録画装置（映像表示装置）を示すブロック図。
【図２】実施形態に係わる録画装置に係り、表示装置に表示される、録画番組ライブラリ（第１の削除番組選択画面）の一例を示す図。
【図３】実施形態に係わる録画装置に係り、ユーザによって番組の削除許可を貰いたい人が指定入力される第１の入力画面の一例を示す図。
【図４】実施形態に係わる録画装置に係り、表示装置に表示される、削除依頼番組ライブラリ（第２の削除番組選択画面）の一例を示す図。
【図５】実施形態に係わる録画装置に係り、削除専用フォルダ（削除可能）に保存されているコンテンツを表示した場合の表示画面の一例を示す図。
【図６】実施形態に係わる録画装置に係り、削除可能な番組がない場合の削除専用フォルダ（削除可能）に保存されているコンテンツを表示した場合の表示画面の一例を示す図。
【図７】実施形態に係わる録画装置に係り、録画削除処理の流れを概念的に示す図。
【図８】実施形態に係わる録画装置に係り、番組削除確認が依頼された人が表示され、第２の入力画面が表示されるようすを示す図。
【図９】実施形態に係わる録画装置の動作を説明するフローチャート。
【発明を実施するための形態】
【０００９】
以下、図面を参照し、この発明の実施形態を説明する。
図１は、実施形態に係わる録画装置（映像表示装置）を示すブロック図である。
符号１は映像入力部（放送受信部）、符号２は番組（コンテンツ）記憶部、符号３は制御部、符号４は映像処理部、符号５は表示出力部（映像表示部）、符号６はリモコン信号受光部、符号７はリモコン（リモートコントローラ）、符号10は録画装置（映像表示装置）である。
【００１０】
ここでは、録画装置（映像表示装置）10は、映像入力部（放送受信部）１、番組（コンテンツ）記憶部２、３制御部、４映像処理部、５表示出力部（映像表示部）を内蔵している。
【００１１】
テレビ放送やインターネット等で、外部から送信された映像信号は図示しないアンテナを経由し、映像入力部１で受信される。
映像入力部１で受信された番組（コンテンツ）は、映像処理部４または番組（コンテンツ）記憶部２に送信される。
番組（コンテンツ）記憶部２で受信された番組は番組（コンテンツ）記憶部２に録画される。また、再生時は番組（コンテンツ）記憶部２に録画されたコンテンツが映像処理部４に送信される。
【００１２】
映像処理部４は映像信号を受信し、映像処理を行い、表示出力部（映像表示部）５に出力する。表示出力部（映像表示部）５は受信した映像を表示する。
ユーザによってリモコン（リモートコントローラ）７が操作され、操作情報が受光部６に向けて出力される。受光部６はリモコン（リモートコントローラ）７から出力された操作情報を受信し、制御部３に出力する。
【００１３】
ここでは、制御部３は番組記憶部２および映像処理部４に接続されている。制御部３は、リモコン（リモートコントローラ）７から出力された操作情報に基づいて、番組記憶部２および映像処理部４を制御する。
【００１４】
すなわち、チューナから復調された映像・音声信号や、ビデオ入力の映像・音声が、映像入力部１に入力される。
映像入力部１から出力された映像信号は、番組記憶部２に記憶される。
制御部３は番組記憶部２に記録された番組の情報から、後述する番組リストとしての番組ライブラリの作成や番組再生、番組削除等の処理を行う。
映像表示部４は、番組ライブラリの表示、削除処理の映像信号を作成するための処理を行い、表示部５に出力する。
例えば、据え置き型の機器（ＤＶＤやＨＤＤレコーダ等）の場合は、表示部５は映像信号出力部であり、テレビジョン受信機の場合は表示画面になる。
制御部３は、リモコン操作部７から信号を受信する受光部６からの信号により制御される。
図２は、実施形態に係わる録画装置に係り、表示装置に表示される、録画番組ライブラリ（第１の削除番組選択画面）の一例を示す図である。
録画装置１０に記録された番組は、録画番組ライブラリとして視聴者に一覧表示される。
符号２０は録画番組ライブラリの表示画面である。例えば、映像表示部５に表示される。
録画番組ライブラリ２０は、他の人に削除しても良いかを確認したい複数の番組が、候補としてリスト表示される。
ここでは、録画装置１０を共用する共用者の誰かから削除不可が入力（白塗り四角印が付加）されているコンテンツが表示される。
このリスト表示された、削除候補である複数の番組から、リモコン７等を操作するユーザによって、所定の番組が選択される。
この実施の形態においては、この録画番組ライブラリ表示20を第１の削除番組選択画面とし、後述する第２の削除番組選択画面と区別して説明する。
ここでは、録画番組ライブラリ（第１の削除番組選択画面）20から、Ｂさんが削除を許可していない（白塗り四角削除不可）、符号２１を付したアニメ４が選択され、後述するように、Ｂさんに削除許可が依頼される。
【００１５】
ここでは、まだ、削除の許可を貰いたい人（白塗り四角印）に、削除可否の確認依頼はされていない。
図３は、実施形態に係わる録画装置に係り、ユーザによって、番組の削除許可を貰いたい人が指定入力される第１の入力画面の一例を示す図である。
符号３０は、ユーザによって番組の削除許可を貰いたい人が指定入力される第１の入力画面である。
第１の入力画面は、例えば、表示部５に表示され、ユーザによって削除確認をしたい人が入力される。
ここでは、符号３２を付したように、番組（アニメ４）の削除許可を貰いたい人（Ｂさん）が指定入力される。
ここでは、符号３１を付したように、この番組の削除確認を行う人（Ｂさん）に白塗り四角印をつけることで入力が行われる。
他の削除許可を貰いたい番組も同様に、第１の入力画面から、削除確認の許可を貰いたい人が入力される。
また、この実施の形態においては、対象の番組を録画した人（本人）以外の人が、その番組を削除されたくないと考えた場合にも、上記と同様に、番組毎に削除確認属性を登録することも可能である。
【００１６】
すなわち、例えば、Ａさんが、番組「アニメ４」を消去したいと考えたとする。
Ａさんは、この番組を削除専用フォルダ（削除可能）50に移動しようとする。しかし、番組「アニメ４」にはＢさんの削除確認登録があるため、削除専用フォルダ（削除可能）50には移動できない。そして、番組「アニメ４」は、削除予定フォルダ51に移動される。
【００１７】
同時に、番組「アニメ４」のＡさんの部分に、この番組を削除しても良いという許可のチェック印が付いて、削除予定フォルダ51に基づく表示が表示される。
この削除予定フォルダ51内の番組は削除不可の状態である。
尚、上記削除確認属性情報（白塗り四角印、黒塗り四角印、チェック印等）の付加処理は、録画番組ライブラリの表示に限られず、番組予約時にの設定することが可能である。
【００１８】
図４は、実施形態に係わる録画装置に係り、表示装置に表示される、削除依頼番組ライブラリ（第２の削除番組選択画面）の一例を示す図である。
上記のように、ユーザによって削除の許可を貰いたい人（白塗り四角印）が入力されたコンテンツが、例えば図に示すように、録画番組リストとして表示される。
まだ、ここでは、削除の許可を貰いたい人（白塗り四角印）に、削除可否の確認をしていない。
そして、誰かに、実際に、削除可否の確認をしたいコンテンツ（録画番組）が、この表示画面40から選択指定される。
ここでは、この録画番組リストから、符号４１を付した番組（アニメ４）が選択される。
図に示すように、現在、Ｂさんはアニメ４を削除不可（白塗り四角）としている。そこで、Ｂさんに削除許可が依頼される。
後述するように、例えばＴＶの電源ＯＮに連動して、Ｂさんに番組（アニメ４）削除の確認がなされていることが表示される。
Ｂさん（白塗り四角の人）は、番組（アニメ４）を削除しても良いと思う場合は、許可を入力する（白塗り四角印→チェック印にする）。また、削除しても良いと思わない場合は許可を入力しない（白塗り四角印→チェック印にしない）。
【００１９】
そして、削除が許可された（チェック印が入力された）番組（例えばアニメ４）は、削除専用フォルダ（削除可能）50に移動され、保存される
図５は、実施形態に係わる録画装置に係り、削除専用フォルダ（削除可能）50に保存されているコンテンツを表示した場合の表示画面の一例を示す図である。
削除専用フォルダ（削除可能）50に保存されているコンテンツの表示画面である。
ここでは、アニメ１とドラマ６が削除専用フォルダ（削除可能）50に保存されていることを示している。
アニメ１はＡさんとＢさんに削除が許可（チェック印）され、ＣさんとＤさんは削除の投票権がない（黒塗り四角）ことを示している。すなわち、全員（Ａさん、Ｂさん、Ｃさん、Ｄさん）の削除許可がされていることを示している。
【００２０】
ドラマ６は、Ｂさんに削除が許可（チェック印）され、ＡさんとＣさんとＤさんは削除の投票権がない（黒塗り四角）ことを示している。同様に、全員（Ａさん、Ｂさん、Ｃさん、Ｄさん）の削除許可がされていることを示している。
【００２１】
例えば、図４において、Ｂさんが「アニメ４」に削除可能の印（チェック印）を付けた場合、削除確認の対象者全員の許可がされたと判断され、削除を許可された録画番組が削除専用フォルダ50に移動される。
【００２２】
録画番組がこの削除専用フォルダ50に移動された後は、ＡさんでもＢさんでも、それ以外の人でも番組削除が可能となる。
図６は、実施形態に係わる録画装置に係り、削除可能な番組がない場合の、削除専用フォルダに保存されているコンテンツを表示した場合の表示画面の一例を示す図である。
【００２３】
録画装置１０の削除専用フォルダ50は、削除処理が実行されることにより、保存されていたコンテンツが削除される。ここでは、削除処理が実行されたことにより、他に削除可能なコンテンツはなく、削除専用フォルダ50は空になっている。
【００２４】
図７は、実施形態に係わる録画装置に係り、録画削除処理の流れを概念的に示す図である。
上記のように、録画番組ライブラリ（第１の削除番組選択画面）２０に、誰か一人以上の人が削除を許可していないコンテンツ（白塗り四角印：削除不可）が表示される。
【００２５】
ここで、例えば、誰かが削除を許可していないコンテンツ（白塗り四角印付加）の削除が許可され（白塗り四角印→黒塗り四角印）、そのコンテンツについては全員が削除許可を入力したとする（全員黒塗り四角印）。
【００２６】
この場合は、そのコンテンツは削除専用フォルダ５０に移動する。あるいは、録画番組ライブラリ（第１の削除番組選択画面）２０が表示される以前に、全員が削除許可を入力したコンテンツ（全員黒塗り四角印）も同様に、削除専用フォルダ５０に移動する。
【００２７】
ここでは、削除処理可能５２であり、削除処理される。
また、誰かが削除を許可していないコンテンツ（白塗り四角印付加）は、削除予定フォルダ（削除不可）５１に移動する。
そして、第２の削除番組選択画面で、削除許可を貰いたい人全員から削除許可が貰え、入力されれば（ここではチェック印）、そのコンテンツは削除専用フォルダ５０に移動する。
【００２８】
そして、上記と同様に、削除専用フォルダ５０に移動し、削除処理される。
また、削除許可を貰いたい人から削除許可が貰えなかった（第２の削除番組選択画面でチェック印が付加されず、削除不可が入力された）場合、後述するように、そのコンテンツは、再度、第１の削除番組選択画面に表示される状態に戻る。
【００２９】
また、録画番組ライブラリ２０に、削除確認属性の無い番組（全員黒塗り四角印の番組）も並べて表示し、ユーザが削除を指示するように構成することも可能である。
【００３０】
この場合はこの番組は、直接、削除専用フォルダ５０に移動される。この削除専用フォルダ５０内の番組は、削除可能である。
削除確認属性のある番組（誰かが白塗り四角印を付加）を削除する場合は、一旦、削除予定フォルダ51に移動される。削除予定フォルダ51で許可が必要な全員の許可が得られると、削除専用フォルダに移動される。
【００３１】
図８は、実施形態に係わる録画装置に係り、番組削除確認が依頼された人が表示され、第２の入力画面が表示されるようすを示す図である。
ここでは、上記のように、録画番組ライブラリ（第１の削除番組選択画面）２０で、Ｂさんの削除許可を貰いたい録画番組アニメ４が選択されている状態である。このとき、アニメ４は、Ｂさんは削除不可（白塗り四角印）である。このコンテンツは削除予定フォルダ（削除不可）５１に保存されている。
【００３２】
そして、例えばＴＶの電源ＯＮに連動して、Ｂさんに番組（アニメ４）削除の確認がなされていることがＴＶの表示画面５に表示される。
これにより、Ｂさんは番組削除の確認依頼を受けていることがわかる。
Ｂさんは、図示しないリモコン等を操作し、ＯＫキーを選択する。
すると、表示画面５に第２の入力画面６０が表示される。
符号６１に示すように、Ｂさんは、削除不可（白塗り四角印）の状態である。
削除不可（白塗り四角印）としているＢさんは、番組（アニメ４）を削除しても良いと思う場合は、削除許可を入力する（白塗り四角印→チェック印にする）。また、削除しても良いと思わない場合は許可を入力しない（白塗り四角印→チェック印にしない）。
【００３３】
上記のように、削除が許可された（チェック印が入力された）番組（例えばアニメ４）は、削除専用フォルダ（削除可能）50に移動され、削除が実行される。ここでは、入力の一例として、トグル方式を用いている。
【００３４】
また、ここでは、黒塗り四角が付されたＣさんとＤさんは、この録画番組の削除投票の対象ではないことを示している。
ここで、録画装置１０の操作の一例を説明する。
例えば、８月１日、夜、Ａさんが、番組（アニメ４）の、削除許可を貰うために、録画番組ライブラリ（第１の削除番組選択画面）選択する。番組（アニメ４）は、Ｂさんが削除不可（白塗り四角印）にしている番組である。番組（アニメ４）は、削除予定フォルダに移動し、その後、録画機器の電源がＯＦＦにされる。Ａさんは、Ｂさんの確認を待つ。
【００３５】
８月２日、昼、８月２日、ＴＶ（録画装置）１０の電源がＯＮになると、上記のように、これに連動して、削除確認があるメッセージが表示される。
Ｂさんに削除確認依頼があることが通知される。Ｂさんが、録画番組（アニメ４）を削除しても良い場合は、Ｂさんが第２の削除番組選択画面から削除許可を入力（チェック印を付け）する。
【００３６】
録画番組（アニメ４）は、削除専用フォルダ５０に移動される。
そして、その日の夜、Ａさんが削除専用フォルダ内の録画番組（アニメ４）を削除する。ＨＤＤの空き容量が増える。
なお、上記説明では、Ａさんが録画番組（アニメ４）の削除処理を行ったが、録画装置１０が、自動的に録画番組（アニメ４）の削除処理を実行するように構成しても良い
【００３７】
図９は、実施形態に係わる録画装置の動作を説明するフローチャートである。
符号１００は開始ステップである。続いて、符合１０１を付したステップへ進む。
符号１０１は録画番組（コンテンツ）ライブラリ20を表示し、他の人に削除されたくない番組を削除不可にするステップである。ここでは、例えば、Ｂさんが自分に白塗り四角印を付加し、この番組を削除不可にする。続いて、符合１０２を付したステップへ進む。
【００３８】
符号１０２は、番組を削除するために、例えば、Ａさんが録画番組（コンテンツ）ライブラリ20を表示するステップである。番組削除の許可を貰いたい番組をリスト表示する。続いて、符合１０３を付したステップへ進む。
【００３９】
符号１０３は、他の人（例えばＢさん）に削除許可を貰いたい番組（コンテンツ）を、ライブラリ画面20から選択するステップである。続いて、符合１０４を付したステップへ進む。
【００４０】
符号１０４は選択されたコンテンツの削除許可を貰う人を指定する、第1の入力画面30表示するステップである。続いて、符合１０５を付したステップへ進む。
符号１０５は、削除許可を貰いたい人を指定するステップである。例えば、Ｂさんが黒塗り四角印の場合は白塗り四角印にする。続いて、符合１０６を付したステップへ進む。
【００４１】
符号１０６は削除不可の番組（ここでは白塗り四角印が付加された番組）があるか否かを判別するステップである。削除不可の番組があると判別された場合は、符号１０７を付したステップへ進む（Ｙｅｓ）。削除不可の番組がないと判別された場合は、符号１１２を付したステップへ進む（Ｎｏ）。
【００４２】
符号１０７は、削除が入力された番組（白塗り四角印付加）を削除予定フォルダ（削除不可）５１へ移動し、保存するステップである。続いて、符合１０８を付したステップへ進む。
【００４３】
符号１０８は、例えば、ＴＶ電源ＯＮ時に連動して、Ｂさんへの番組削除許可依頼を、ＴＶ画面に表示するステップである。尚、表示のタイミングは、ＴＶ電源ＯＮ時に限定されるものではなく、定期的に表示する等、適宜変更可能である。続いて、符合１０９を付したステップへ進む。
【００４４】
符号１０９は、削除依頼された人（Ｂさん）が削除可否入力可能な第２の入力画面40を表示するステップである。続いて、符合１１０を付したステップへ進む。
符号１１０は、Ｂさんが指定された録画番組の削除可または不可を入力するステップである。録画番組を削除可の場合は、許可（チェック）を入力する。録画番組を削除不可の場合は、許可入力しない。続いて、符合１１１を付したステップへ進む。
【００４５】
符号１１１は、指定された録画番組の削除が許可されたかを判別するステップである。指定された録画番組の削除が許可されたと判別される場合は、符号１１２を付したステップへ進む（Ｙｅｓ）。指定された録画番組の削除が許可されないと判別される場合は、符号１０１を付したステップへ進み、上記処理を繰り返す（Ｎｏ）。
【００４６】
符号１１２は、上記削除許可されたコンテンツを、削除専用フォルダへ移動するステップである。続いて、符合１１３を付したステップへ進む。
符号１１３は、上記削除許可されたコンテンツを削除するステップである。続いて、符合１１４を付したステップへ進む。
符号１１４は、終了ステップであり、ここでの処理は終了する。
上記のように構成することによって、この実施の形態においては、例えば、録画番組ライブラリ（第１の削除番組選択画面）２０を表示することで、誰が保存を希望しているか、また、誰に削除の許可を貰う必要があるかが判りやすくなる。この表示に基づく第１の入力画面から、削除許可を貰う人が選択指定され、入力される（白塗り四角）。
【００４７】
また、保存を希望する属性情報（ここでは白塗り四角）に基づき、第２の入力画面から削除確認（削除可はチェック）が入力されることにより、確認が必要とされる全員の許可がある場合は、録画番組が削除可能となる。これにより、不用意に番組が削除されることを防止することが可能になる。
【００４８】
尚、上記、保存を希望する属性情報の更新は、個々の人が随時更新可能である。
このため、削除の許可を得る必要のある人全員が、必ずしも、同じ時間に、録画装置１０の近くにいる必要はない。例えば、時間を変えて、全員の削除許可が得られれば（入力されれば）、所定の録画番組の削除が可能になる。
【００４９】
なお、上記実施形態は、記述そのものに限定されるものではなく、実施段階では、その趣旨を逸脱しない範囲で、構成要素を種々変形して具体化することが可能である。
【符号の説明】
【００５０】
１…映像入力部（放送受信部）、２…番組（コンテンツ）記憶部、３…制御部、４…映像処理部、５…表示出力部（映像表示部）、６…リモコン信号受光部、７…リモコン（リモートコントローラ）、10…録画装置（映像表示装置）、20…録画番組ライブラリ（第１の削除番組選択画面）、30…第１の入力画面、40…削除依頼番組ライブラリ（第２の削除番組選択画面、50…削除専用フォルダ（削除可能）、51…削除予定フォルダ（削除不可）、60…第２の入力画面。
【図１】
2011254363.tif 000003
【図２】
2011254363.tif 000004
【図３】
2011254363.tif 000005
【図４】
2011254363.tif 000006
【図５】
2011254363.tif 000007
【図６】
2011254363.tif 000008
【図７】
2011254363.tif 000009
【図８】
2011254363.tif 000010
【図９】
2011254363.tif 000011
【手続補正書】
【提出日】平成23年7月8日(2011.7.8)
【手続補正１】
【補正対象書類名】特許請求の範囲
【補正対象項目名】全文
【補正方法】変更
【補正の内容】
【特許請求の範囲】
【請求項１】
録画されたコンテンツを削除可能な録画装置において、
前記コンテンツの削除の許可を得るための削除許可について問い合わせる対象の人を選択可能な第１の入力画面を出力する第１の入力画面出力手段と、
前記第１の入力画面を介して選択された人が、前記コンテンツの削除許可を入力可能な第２の入力画面を出力する第２の入力画面出力手段と、
前記第２の入力画面を介して、前記選択された人により削除が許可されたと判断される場合は、前記コンテンツの削除処理を行うコンテンツ削除手段を備える録画装置。
【請求項２】
前記第１の入力画面出力手段は、前記削除許可について問い合わせる対象の人を複数の人の中から選択可能とした前記第１の入力画面を出力し、
前記第１の入力画面を介して、前記複数の人の中から、前記削除許可について問い合わせる対象の人を選択する手段をさらに備える請求項１に記載の録画装置。
【請求項３】
前記録画コンテンツのリストを含む第１のリストを出力する第１のリスト出力手段をさらに備え、
前記削除を行う録画コンテンツは前記第１のリストから選択される請求項１または２に記載の録画装置。
【請求項４】
前記削除許可について問い合わせる対象の人が選択された録画コンテンツのリストを含む第２のリストを出力する第２のリスト出力手段をさらに備え、
前記選択された人により削除が許可されるコンテンツは前記第２のリストから選択される請求項１乃至３のいずれか１項に記載の録画装置。
【請求項５】
削除を望まないコンテンツが、削除可から削除不可に変更指定可能な画面を出力する変更画面出力手段をさらに備え、
削除を望まないコンテンツは、削除可から削除不可に変更指定される請求項１乃至４のいずれか１項に記載の録画装置。
【請求項６】
前記第１の入力画面を介して選択された削除許可について問い合わせる対象の人は単数または複数であり、指定された人全員により削除が許可された許可されたと判断された場合に、前記コンテンツの削除処理を行う請求項１乃至５のいずれか１項に記載の録画装置。
【請求項７】
前記問い合わせる対象の人に削除許可の問い合わせがあることを示す情報を、録画装置の電源ＯＮに連動して表示する請求項１乃至６のいずれか１項に記載の録画装置。
【請求項８】
映像を表示可能な映像表示手段と、
録画されたコンテンツの削除の許可を得るための削除許可について問い合わせる対象の人を選択可能な第１の入力画面を、前記映像表示手段に表示する第１の入力画面出力手段と、
前記第１の入力画面を介して選択された人が、前記コンテンツの削除許可を入力可能な第２の入力画面を、前記映像表示手段に表示する第２の入力画面出力手段と、
前記第２の入力画面を介して、前記選択された人により削除が許可されたと判断される場合は、前記コンテンツの削除処理を行うコンテンツ削除手段を備える映像表示装置。
【請求項９】
録画されたコンテンツの削除の許可を得るための削除許可について問い合わせる対象の人を選択可能な第１の入力画面を出力するステップと、
前記第１の入力画面を介して選択された人が、前記コンテンツの削除許可を入力可能な第２の入力画面を出力するステップと、
前記第２の入力画面を介して、前記選択された人により削除が許可されたと判断される場合は、前記コンテンツの削除処理を行うステップを備える録画コンテンツ削除方法。
【手続補正２】
【補正対象書類名】明細書
【補正対象項目名】０００７
【補正方法】変更
【補正の内容】
【０００７】
実施形態によれば、録画されたコンテンツの削除の許可を得るための削除許可について問い合わせる対象の人を選択可能な第１の入力画面を出力する第１の入力画面出力手段を備える。
また、前記第１の入力画面を介して選択された人が、前記コンテンツの削除許可を入力可能な第２の入力画面を出力する第２の入力画面出力手段を備える。
また、前記第２の入力画面を介して、前記選択された人により削除が許可されたと判断される場合は、前記コンテンツの削除処理を行うコンテンツ削除手段を備える。